(57)【要約】開示された継手アッセンブリは、ねじ付き導管と、圧縮可能なポート固定部を有する着脱可能な縦のレストリクターとを含む。ねじ付き導管は、流体ポートの相補的ねじ部と係合するように形状づけられ、ねじ付き導管の縦軸を横断する流体流路を含む。着脱可能な縦のレストリクターは、ねじ付き導管の外縁部と係合でき、ポートに向かう第１方向にねじ付き導管の縦軸に沿って前進し、第１方向とは反対の第２方向に前記ねじ付き導管に沿った運動を解放可能に制限するように構成されている。圧縮可能なポート固定部の先縁部は、第１方向において着脱可能な縦のレストリクターの弾性力を加える助長を可能にすると共にポートに対するねじ付き導管の回転運動を制限するように圧縮可能なポート固定部が圧縮するようにポートの係合面と係合するように構成される。【選択図】図１
2011530684.tif 000002
【特許請求の範囲】
【請求項１】
ねじ付き導管と、圧縮可能なポート固定部を有する着脱可能な縦のレストリクターとを備える継手アッセンブリであって、
前記ねじ付き導管は、流体ポートの相補的ねじ部と係合するように形状づけられ、前記ねじ付き導管の縦軸を横断する流体流路を有し、
前記着脱可能な縦のレストリクターは、前記ねじ付き導管の外縁部と係合し、ポートに向かう第１方向に前記ねじ付き導管の縦軸に沿って前進し、第１方向とは反対の第２方向に前記ねじ付き導管に沿った運動を解放可能に制限するように構成され、
前記圧縮可能なポート固定部の先縁部は、前記第１方向において前記着脱可能な縦のレストリクターの弾性力を加える助長を可能にすると共にポートに対する前記ねじ付き導管の回転運動を制限するように前記圧縮可能なポート固定部が圧縮するように前記ポートの係合面と係合するように構成される、継手アッセンブリ。
【請求項２】
請求項１記載の継手アッセンブリにおいて、
前記圧縮可能なポート固定部は、前記ポートの係合面と係合されるときに圧縮するように構成された少なくとも一つの可撓性アームを備える、継手アッセンブリ。
【請求項３】
請求項２記載の継手アッセンブリにおいて、
前記少なくとも一つの可撓性アームは、接線方向又は半径方向に曲げられることによって圧縮する、継手アッセンブリ。
【請求項４】
請求項２記載の継手アッセンブリにおいて、
前記少なくとも一つの可撓性アームの先縁部は、別個の接触先端、線接触縁、丸みの接触面、あるいは、それらの組み合わせのように形状づけられる、継手アッセンブリ。
【請求項５】
請求項１記載の継手アッセンブリにおいて、
前記圧縮可能なポート固定部は、少なくとも一つのリーフスプリングアームを備える、継手アッセンブリ。
【請求項６】
請求項１記載の継手アッセンブリにおいて、
前記圧縮可能なポート固定部は、異なる方向のポートの方へ延びる複数のリーフスプリングアームを備える、継手アッセンブリ。
【請求項７】
請求項１記載の継手アッセンブリにおいて、
前記圧縮可能なポート固定部は、Ｏ−リングを備える、継手アッセンブリ。
【請求項８】
請求項７記載の継手アッセンブリにおいて、
前記圧縮可能なポート固定部の先縁部は、前記Ｏ−リングの外側表面によって存在されている、継手アッセンブリ。
【請求項９】
請求項１記載の継手アッセンブリにおいて、
前記ねじ付き導管は、外表面に配置された爪をさらに備え、
前記着脱可能な縦のレストリクターは、前記爪を超えて第１方向に段階的に前進するように構成された固定脚部を備え、
前記爪は、第２方向への前記着脱可能な縦のレストリクターの動きを制限する、継手アッセンブリ。
【請求項１０】
請求項９記載の継手アッセンブリにおいて、
前記着脱可能な縦のレストリクターは、第２方向への前記着脱可能な縦のレストリクターの動きを可能にするために前記爪から前記固定脚部を解放するように構成された解放アームを更に備える、継手アッセンブリ。
【請求項１１】
請求項１記載の継手アッセンブリにおいて、
前記着脱可能な縦のレストリクターは、前記第１方向に前進するために前記ねじ付き導管のねじ部と係合するように構成される、継手アッセンブリ。
【請求項１２】
請求項１１記載の継手アッセンブリにおいて、
前記圧縮可能なポート固定部は、前記着脱可能な縦のレストリクターから分離可能であり、
前記着脱可能な縦のレストリクターが前記ねじ部のまわりを回転され前記第１方向に前進するときに前記可撓性グリップが前記第２方向への前記着脱可能な縦のレストリクターの動きを制限するように、前記着脱可能な縦のレストリクターの周囲の切り欠きと段階的に係合するように構成された可撓性グリップを備える、継手アッセンブリ。
【請求項１３】
請求項１２記載の継手アッセンブリにおいて、
前記可撓性グリップ及び前記切り欠きは、トルク制限機能を提供するように構成されている、継手アッセンブリ。
【請求項１４】
請求項１２記載の継手アッセンブリにおいて、
前記着脱可能な縦のレストリクターの下リップ部は、前記圧縮性ポート固定部の上リップ部と着脱可能に係合するように構成されている、継手アッセンブリ。
【請求項１５】
請求項１１記載の継手アッセンブリにおいて、
前記圧縮性ポート固定部は、前記ねじ付き導管に連結され前記ねじ付き導管から離れる方向に伸びる回転防止アームを収容するように構成された回転防止収容スロットを備える、継手アッセンブリ。
【請求項１６】
圧縮可能な係合面を有する流体ポートのための継手アッセンブリであって、
前記継手アッセンブリは、突出ポート固定部を有する着脱可能な縦のレストリクターを備え、
前記ねじ付き導管は、前記流体ポートの相補的ねじ部と係合するように構成されると共に、前記ねじ付き導管の縦軸を横断する流体流路を備え、
前記着脱可能な縦のレストリクターは、前記ねじ付き導管と係合し、前記ポートに向かう第１方向に前記ねじ付き導管の縦軸に沿って前進し、第１方向とは反対の第２方向に前記ねじ付き導管に沿った運動を解放可能に制限するように構成され、
前記圧縮可能なポート固定部の先縁部は、前記第１方向において前記着脱可能な縦のレストリクターの弾性力を加える助長を可能にすると共にポートに対する前記ねじ付き導管の回転運動を制限する前記ポートの圧縮可能な係合面と係合するように構成される、継手アッセンブリ。
【請求項１７】
請求項１６記載の継手アッセンブリにおいて、
前記先縁部は、複数のポイントを備える、継手アッセンブリ。
【請求項１８】
請求項１６記載の継手アッセンブリにおいて、
前記突出ポート固定部は、前記ポートの圧縮可能な係合面よりも小さい圧縮性である、継手アッセンブリ。
【請求項１９】
本体用のファスナーであって、
前記ファスナーは、ねじ付き部材と、本体固定部と、着脱可能な縦のレストリクターとを備え、
前記ねじ付き部材は、前記本体の相補的ねじ付き部と係合するように構成され、
前記着脱可能な縦のレストリクターは、前記ねじ付き部材と係合すると共に、前記本体に向かう第１方向に前記ねじ付き部材の縦軸に沿って前進し、第１方向とは反対の第２方向に前記ねじ付き部材に沿った運動を解放可能に制限するように構成され、
前記本体固定部は、前記着脱可能な縦のレストリクターと共に前進するように構成され、前記ポートに対する前記ねじ付き部材の回転運動を制限するために前記本体の係合面と係合する、ファスナー。
【請求項２０】
請求項１９記載のファスナーアッセンブリにおいて、
前記本体固定部は、前記本体の係合面と係合されるときに圧縮するように構成される、ファスナーアッセンブリ。
【請求項２１】
請求項１９記載のファスナーアッセンブリにおいて、
前記本体の係合面は圧縮可能である、ファスナーアッセンブリ。
【発明の詳細な説明】
【技術分野】
【０００１】
本開示は、概ね、継手アッセンブリに関し、より具体的には、流体継手アッセンブリが適用されるポートから時が経つにつれて緩むのに抵抗するように形状づけられた流体継手アッセンブリに関する。
【背景技術】
【０００２】
一般に、流体継手は、流体輸送用コンテナのポートに１本のチューブを固定するのに使用され、医療機器や分析化学などの様々な用途に使用されることができる。しかしながら、そのような継手部は、輸送の振動、機械振動、及び／又は、膨張あるいは収縮を生じる周囲の環境での圧力及び温度の変化を含むいくつかの要因の結果として時が経つにつれて緩む場合がある。
【発明の概要】
【発明が解決しようとする課題】
【０００３】
典型的に、継手部は、流体又はその他の物質が共通の管を通過することができるように二つの間にねじ連結を可能にするためにポートに螺合される。本開示は、継手アッセンブリをポートに固定する付加的な力を提供することにより、緩みに耐える代替的な継手アッセンブリを提供する。
【課題を解決するための手段】
【０００４】
本開示の一実施形態によれば、継手アッセンブリは、ねじ付き導管と、圧縮可能なポート固定部を有する着脱可能な縦のレストリクターとを備える。ねじ付き導管は、流体ポートの相補的ねじ部と係合するように形状づけられ、ねじ付き導管の縦軸を横断する流体流路を含む。着脱可能な縦のレストリクターは、ねじ付き導管の外縁部と係合でき、ポートに向かう第１方向にねじ付き導管の縦軸に沿って前進し、第１方向とは反対の第２方向に前記ねじ付き導管に沿った運動を解放可能に制限するように構成されている。圧縮可能なポート固定部の先縁部は、第１方向において着脱可能な縦のレストリクターの弾性力を加える助長を可能にすると共にポートに対するねじ付き導管の回転運動を制限するように圧縮可能なポート固定部が圧縮するようにポートの係合面と係合するように構成される。
【０００５】
本開示の他の実施形態によれば、圧縮可能な係合面を有する流体ポートのための継手アッセンブリは、突出ポート固定部を有する着脱可能な縦のレストリクターを含む。ねじ付き導管は、流体ポートの相補的ねじ部と係合するように構成されると共に、ねじ付き導管の縦軸を横断する流体流路を含む。着脱可能な縦のレストリクターは、ねじ付き導管と係合し、ポートに向かう第１方向にねじ付き導管の縦軸に沿って前進し、第１方向とは反対の第２方向にねじ付き導管に沿った運動を解放可能に制限するように構成される。圧縮可能なポート固定部の先縁部は、第１方向において着脱可能な縦のレストリクターの弾性力を加える助長を可能にすると共にポートに対するねじ付き導管の回転運動を制限するポートの圧縮可能な係合面と係合するように構成される。
【０００６】
本開示の他の実施形態によれば、本体用のファスナーは、ねじ付き部材と、本体固定部と、着脱可能な縦のレストリクターとを含む。ねじ付き部材は、本体の相補的ねじ付き部と係合するように構成され、着脱可能な縦のレストリクターは、ねじ付き部材と係合すると共に、本体に向かう第１方向にねじ付き部材の縦軸に沿って前進し、第１方向とは反対の第２方向にねじ付き部材に沿った運動を解放可能に制限するように構成される。本体固定部は、着脱可能な縦のレストリクターと共に前進するように構成され、ポートに対するねじ付き部材の回転運動を制限するために本体の係合面と係合する。
【０００７】
本開示の以下の特定の実施形態の詳細な説明は、同じ構造が同じ符号で示された添付の図面と関連して読まれるときに最良に理解されることができる。
【図面の簡単な説明】
【０００８】
【図１】図１は、本明細書中に示されるとともに開示された一つ以上の実施形態にかかる継手アッセンブリを示す。
【図２】図２は、本明細書中に示されるとともに開示された一つ以上の実施形態にかかる継手アッセンブリのためのねじ付き管を示す。
【図３】図３は、本明細書中に示されるとともに開示された一つ以上の実施形態にかかる継手アッセンブリのための着脱可能な縦のレストリクターを示す。
【図４】図４は、本明細書中に示されるとともに開示された一つ以上の実施形態にかかる代替的な継手アッセンブリを示す。
【図５】図５は、本明細書中に示されるとともに開示された一つ以上の実施形態にかかる代替的な継手アッセンブリのためのねじ付き管を示す。
【図６】図６は、本明細書中に示されるとともに開示された一つ以上の実施形態にかかる継手アッセンブリのための代替的なポート固定部を示す。
【図７】図７は、本明細書中に示されるとともに開示された一つ以上の実施形態にかかる継手アッセンブリのための代替的な着脱可能な縦のレストリクターを示す。
【図８】図８は、本明細書中に示されるとともに開示された一つ以上の実施形態にかかる代替的な継手アッセンブリを示す。
【図９】図９は、本明細書中に示されるとともに開示された一つ以上の実施形態にかかる継手アッセンブリのための代替的なポート固定部を示す。
【図１０】図１０は、本明細書中に示されるとともに開示された一つ以上の実施形態にかかる代替的な継手アッセンブリを示す。
【図１１】図１１は、本明細書中に示されるとともに開示された一つ以上の実施形態にかかる代替的な継手アッセンブリの断面図を示す。
【発明を実施するための形態】
【０００９】
継手（嵌合）アッセンブリは、ポートに対する耐振動連結のために開示される。継手アッセンブリは、ねじ付き導管、着脱可能な縦のレストリクター、及びポート固定部を概ね備える。着脱可能な縦のレストリクターは、ポートの方への第１方向でねじ付き導管の縦軸線に沿って前進し、第１方向と反対方向の第２方向でねじ付き導管に沿った動きを着脱可能に制限するように形状づけられる。また、ポート固定部は、本明細書中で理解されるように、ポートに対するねじ付き導管の回転運動を制限するために、ポートの係合面と係合するように構成される。特定の性質を具現化する、又は、特定の方法で機能するために、特定の方法で“形状づけられる”本開示の構成要素の詳述は、意図した使用の詳述に反対した構造的詳述であることに留意されたい。より具体的には、構成要素が“形状づけられる”方法への本明細書中の参照は、その構成要素の存在する物理的態様を意味し、その構成要素の構造的特徴の限定した詳述としてとらえられるべきである。
【００１０】
図１乃至図３に示された実施態様を参照すると、継手アッセンブリ１００は、ねじ付き導管１１０と、圧縮可能なポート固定部１３０を有する着脱可能な縦のレストリクター１２０とを備える。圧縮可能なポート固定部１３０は、一つ以上の可撓性アーム１３２を備える。図２に最もよく示されるように、ねじ付き導管１１０は、流体物質の通路を可能にするための、ねじ付き導管１１０の縦軸を横断する流体流路１１２を備える。ねじ付き導管１１０は、その外表面に、相補的ねじ部を有するポートに螺合されるのを許容するねじ部を更に備える。例えば、一つの代表的な実施態様では、ポート（図示せず）は、ねじ付き導管１１０がポートの中に螺合されるのを許容する相補的ねじ部を備える。他の実施態様では、ねじ部１１４は、雄ねじ付きポートに連結される場合などでは、ねじ付き導管１２０の内側に配置されることができる。そして、上記ポートは、コンテナ、別のねじ付き導管、又は、流体物質がねじ付き導管１１０の流体流路１１２を介して移動されるようなあらゆる他の装置に連結されることができる。
【００１１】
ねじ付き導管１１０は、本明細書中で理解されるように、着脱可能な縦のレストリクター１２０の増進を許容する複数の爪１１６を更に備える。爪１１６は、本明細書中で理解されるように、縦のレストリクター１２０がポートの方へ前進するのを許容するが縦のレストリクター１２０が爪１１６から外れない限りポートから離れる方向への運動を制限する一連のラチェットのようなくぼみを備える。爪１１６は、ねじ付き導管１１０の一方側に、（図１及び図２に示すように）ねじ付き導管１１０の両側に、ねじ付き導管１１０の全ての側面に配置することができ、あるいは、第２方向への移動を着脱可能に制限すると共に第１方向へのねじ付き導管１１０の前進を許容するねじ付き導管１１０についてのあらゆる他の形状にすることができる。また、ねじ付き導管１１０は、流体流路１１２を介してコンテナの内外への物質の移動を可能にすると共にポートへの着脱可能な固定のために構成されたあらゆる材料で構成できる。例えば、ねじ付き導管１１０は、あらゆるポリマー、金属、合金、または、著しく変形せずポートへの固定連結を可能にする他の代替材料から構成されることができる。
【００１２】
図１乃至図３を参照すると、継手アッセンブリ１００は、着脱可能な縦のレストリクター１２０を更に備える。縦のレストリクター１２０は、縦軸線に関してねじ付き導管１１０に沿って前進することができるようにねじ付き導管１１０と係合する形状にされることができる。例えば、図１乃至図３に示された実施形態では、着脱可能な縦のレストリクター１２０は、ねじ付き導管１１０に関しての爪１１６と係合する固定脚部１２４と協働する解放アーム１２２を備える。より詳細には、図１を参照すると、着脱可能な縦のレストリクター１２０は、ねじ付き導管１１０のポート端部１１８の方への第１方向において縦軸線に沿って下方へ摺動し爪１１６に沿って動くことができる。着脱可能な縦のレストリクター１２０が（ポート端部１１８に向かう）第１方向において前進するが、（ポート端部１１８から離れる）第２方向において爪１１６によって後退が制限されるように、着脱可能な縦のレストリクター１２０の固定脚部１２４は、爪１１６の各々を段階的増分で通過することができる。爪１１６から固定脚部１２４を解放するためには、解放アーム１２２を内方につまみ、爪１１６から離れる方向に固定脚部１２４を曲げる。従って、解放アーム１２２を内方につまむと、着脱可能な縦のレストリクター１２０は、第２方向に後退されることができ、ねじ付き導管１１０のポート端部１１８から離れる方向に動く。
【００１３】
図１及び図３を参照すると、着脱可能な縦のレストリクター１２０は、各々が先縁部１３５を有する一つ以上の可撓性アーム１３２を備える圧縮性ポート固定部１３０と一体にすることができる。先縁部１３５は、別個の接触先端、線接触縁、丸みの接触面、あるいは、可撓性アーム１３２に関して断続的又は連続的に配置されたあらゆる他の突出部、またはそれらのあらゆる組み合わせから構成することができる。可撓性アーム１３２は、そのような形状にすることができ、又は、ポートの係合面と係合したときに着脱可能な縦のレストリクター１２０のある程度の圧縮を可能にするような材料から構成することができる。例えば、図１及び図３に示された実施形態では、可撓性アーム１３５は、可撓性アーム１３５が内方への曲げによってポートの係合面に抗して圧縮するのを可能にするオフセットを備える。本明細書中に使用される用語“圧縮する”及び“圧縮”は、スプリング又はＯ−リングの一般的な圧縮、（半径方向又は接線方向などに）可撓性構造を曲げること、又は、あらゆる他の直線制限などによって、直線方向への本体部の制限の全ての様態を含むことを意図することに留意すべきである。
【００１４】
可撓性アーム１３２を備える継手アッセンブリ１００を参照すると、ねじ付き導管１１０がポートの中にねじ込まれ、着脱可能な縦のレストリクター１２０がポートの方への第１方向へねじ付き導管１１０の爪１１６を超えて段階的に押圧されると、可撓性アーム１３２の先縁部１３５は、ポートの係合面と係合する。着脱可能な縦のレストリクター１２０が更に爪１１６を超えて段階的に前進されると、可撓性アーム１３２は、曲げ及び移動などによって内方に押しつけられ、ポートと着脱可能な縦のレストリクター１２０との間に弾性力を加える助長を提供する。先縁部１３５、可撓性アーム１３２及びポートの係合面の材料及び／又は形状に依存して、先縁部１３５は、係合面に対して瞬間的に配置され、あるいは係合面にはまり込む。従って、可撓性アーム１３２の先縁部１３５が弾性力を加える助長を提供するためにポートの係合面と係合されるように、着脱可能な縦のレストリクター１２０が爪１１６に沿って十分に前進されるときに、圧縮性ポート固定部１３０は、（可撓性アーム１３２を介して）ポートに対するねじ付き導管１１０の回転運動を制限し、これによって、ポートからねじ付き導管１１０が緩むのを抑制する。ねじ付き導管１１０に着脱可能な縦のレストリクター１２０を連結する又は係合することによって、可撓性アーム１３２の先縁部１３５がねじ付き導管１１０とポートとの間の他の接触点として働き、回転運動を制限する。
【００１５】
ポートからねじ付き導管１１０を分離する又は緩めるためには、着脱可能な縦のレストリクター１２０の解放アーム１２２をつまみ、着脱可能な縦のレストリクター１２０が（ポート端部１１８から離れる）第２方向へねじ付き導管１１０から取り除かれ、それによって、ポートからねじ付き導管１１０の制限されない緩みを可能とする。
【００１６】
図４乃至図７を参照すると、継手アッセンブリ２００の代替的な実施例が示され、着脱可能な縦のレストリクター２２０がねじ付き導管２１０のねじ部２１４と直接的に係合し、ポート固定部が、着脱可能な縦のレストリクター２２０から分離可能であると共にポートの圧縮可能な係合面と係合するように形状づけられた突出ポート固定部２３０を備えている。
【００１７】
特に図４及び図５を参照すると、ねじ付き導管２１０は、流体物質の通路を可能にするための、ねじ付き導管２１０の縦軸を横断する流体流路２１２を備える。ねじ付き導管２１０は、（図示のように）外表面又は内表面に、相補的ねじ部を有するポートに螺合されるのを許容するねじ部２１４を更に備える。さらに、ねじ付き導管２１０は、ねじ付き導管２１０の縦軸線から実質的に垂直方向にねじ付き導管２１０から離れる方向に伸びる一つ以上の抗回転アーム２１６を備える。抗回転アーム２１６は、以下で理解されるように突出ポート固定部２３０によって収容されるように形状づけられている。
【００１８】
図４、６及び７を参照すると、着脱可能な縦のレストリクター２２０は、突出ポート固定部２３０と協動し、ポートに対するねじ付き導管２１０の回転運動を防止するためにポートの係合面と係合する。具体的には、着脱可能な縦のレストリクターは、その表面の周囲に配置された複数の切り欠き２２２と、着脱可能な縦のレストリクター２２０のポート側（あるいはねじ付き導管２１０のポート端部２１８と面する側）に配置された下リップ部２２４とを備える。着脱可能な縦のレストリクター２２０がねじ付き導管２１０に螺合し、ねじ付き導管２１０と係合するように、着脱可能な縦のレストリクター２２０は、ねじ付き導管のねじ部２１４と協働するように形状づけられたねじ部（図示せず）を更に備える。
【００１９】
（図６に最もよく示された）突出ポート固定部２３０は、着脱可能な縦のレストリクター２２０の下リップ部２２４と協働するように構成された上リップ部２３８を備え、上リップ部２３８は下リップ部２２４上にカチッと係合し、二つの部品（突出ポート固定部２３０と着脱可能な縦のレストリクター２２０）は図４に示されたように係合される。突出ポート固定部２３０は、着脱可能な縦のレストリクター２２０が突出ポート固定部２３０に対して回転されるとき、着脱可能な縦のレストリクター２２０の切り欠き２２２の内外へ動く一つ以上の可撓性グリップ２３２をさらに備える。（例えば図８及び図１０に示された）代替的な実施例では、切り欠き２２２は、下リップ部２２４近傍に、あるいは、可撓性グリップ２３２との係合を可能にする着脱可能な縦のレストリクター２２０に関する別のあらゆる場所に、配置されることができる。また、一つ以上の抗回転収容スロット２３４は、突出ポート固定部２３０に関して配置され、ねじ付き導管２１０の抗回転アーム２１６を収容し、これと協働する。抗回転収容スロット２３４は、上リップ部２３８（あるいは作動の際にポートから離れた方に面する突出ポート固定部２３０の側）の方へ開口し、突出ポート固定部２３０は、ねじ付き導管２１０がポートと係合する前にねじ付き導管２１０上を摺動できる。最後に、突出ポート固定部２３０は、その表面に、動作の際にポートの係合面と面する方向に向いた一つ以上の先縁部２３５を備える。上述のように、先縁部２３５は、別個の接触先端、線接触縁、丸みの接触面、あるいは、突出ポート固定部２３０に関して断続的又は連続的に配置されたあらゆる他の突出部から構成することができる。さらに、突出ポート固定部２３０及びその先縁部２３５は、（上記実施例で述べたように）可撓性形態からなることができ、あるいは、圧縮性がなく、かつ、先縁部２３５がポートのより柔らかい係合面を（係合面にはまり込むことなどによって）圧縮することができるようなポートの係合面よりも堅い構造からなることができる。
【００２０】
図４に最もよく示されるように、動作では、ねじ付き導管２１０の抗回転アーム２１６が突出ポート固定部２３０の抗回転収容スロット２３４に収容されるように、突出ポート固定部２３０は、ねじ付き導管２１０上を摺動する。それから、着脱可能な縦のレストリクター２２０は、（ねじ部２１４を介して）ねじ付き導管２１０に螺合され、突出ポート固定部２３０の上リップ部２３８と着脱可能な縦のレストリクター２２０の下リップ部２２４が互いに係合するように、突出ポート固定部２３０に対して押圧される。ひとたび、着脱可能な縦のレストリクター２２０が突出ポート固定部２３０と係合されると、着脱可能な縦のレストリクター２２０は、ねじ付き導管を中心にして回転され、ねじ付き導管２１０のポート端部の方へ第１方向に突出ポート固定部２３０に沿って前進する。突出ポート固定部２３０の可撓性グリップ２３２は、回転を達成するためのしきい値力をつくる着脱可能な縦のレストリクター２２０の周りの多数の切り欠き２２２の間を連続的に移行する。それによって、この力は、着脱可能な縦のレストリクター２２０の逆回転を抑制でき、その結果、（ポートから離れる）第２方向にねじ付き導管に沿った動きを解放可能に制限する。可撓性グリップ２３２及び多数の切り欠き２２２の形状及び構成（及び／又は多数の切り欠き２２２間を移行における可撓性グリップ２３２の全体的な信頼）は、その全開示が参照によって本明細書中に組み込まれた米国出願第１１／３８２１２７号に開示されたのと同じトルク制限機能を提供するように構成されることができる。
【００２１】
突出ポート固定部２３０がポートの方へ更に前進すると、先縁部２３５はポートの係合面と係合し、ねじ付き導管２１０とポートの間の付加的な接触ポイントを提供する。ポートの係合面が圧縮性又は柔らかい材料からなる場合、先縁部２３５は、係合面を圧縮し、弾性力を加える助長を提供する。同様に、先縁部２３５が圧縮可能な材料からなる場合、先縁部２３５は、弾性力を加える助長を提供するために圧縮する。ねじ付き導管の潜在的な解放回転は、抗回転アーム２１６を通って（抗回転収容スロット２３４を介して）突出ポート固定部２３０まで通過され、ポートの係合面との先縁部２３５の係合によって制限される。
【００２２】
図８及び図９を参照すると、継手アッセンブリ３００の代替的な実施例が示され、ポート固定部が、ポートの係合面に面し、これと係合するように構成された先縁部３３５を各々有する複数のリーフスプリングアーム３３２を備える圧縮可能なポート固定部３３０からなる。具体的には、継手アッセンブリ３００は、流体物質の通路を可能にするための、ねじ付き導管３１０の縦軸を横断する流体流路３１２を備えるねじ付き導管３１０を備える。ねじ付き導管３１０は、（図示のように）外表面又は内表面に、相補的ねじ部を有するポートに螺合されるのを許容するねじ部３１４を更に備える。さらに、ねじ付き導管３１０は、ねじ付き導管３１０の縦軸線から実質的に垂直方向などにねじ付き導管３１０から離れる方向に伸びる一つ以上の抗回転アーム３１６を備える。抗回転アーム３１６は、突出ポート固定部３３０によって収容されるように形状づけられている。
【００２３】
突出ポート固定部３３０は、ねじ付き導管３１０の回転防止アーム３１６を収容するための一つ以上の回転防止収容スロット３３４と、複数のリーフスプリングアーム３３２とを備える。リーフスプリングアーム３３２の先縁部３３５がポートの係合面と係合するときにリーフスプリングアーム３３２がポートに向かう第１方向への着脱可能な縦のレストリクター３２０の付加的な動きを可能にするために外側に曲がるように、リーフスプリングアーム３３２は、異なる方向の、ねじ付き導管３１０のポート端部３１８に向かう方向に伸びる。突出ポート固定部３３０のリーフスプリングアーム３３２がポートの係合面と係合するときに、その係合は、ポートから緩むねじ付き導管３１０のあらゆる傾向に対抗する追加の機能を提供する。
【００２４】
図１０及び図１１を参照すると、さらに代替的な実施例での継手アッセンブリ４００が示され、圧縮可能なポート固定部４３０の先縁部は、Ｏ−リング４３５を備え、前の実施例の抗回転アームが切り欠き４２２と可撓性グリップ４３２との間に内部協働で配置される。切り欠き４２２と可撓性グリップ４３２は、圧縮可能なポート固定部４３０と協働して着脱可能な縦のレストリクター４２０の増進的な回転を提供するように供され、そして、ポートに対するねじ付き導管４１０の回転への抵抗を提供するのを助ける。さらに、Ｏ−リング４３５が係合されるときにポートの係合面に対して圧縮するように、Ｏ−リング４３５は、（図１１に最もよく示されるように）ポートに面する圧縮可能なポート固定部４３０の側に配置され、これから突き出る。Ｏ−リング４３５は、ポートの係合面が本明細書に開示された代替的な先縁部との潜在的なグリップを制限する堅い又は滑りやすい材質である場合に付加的な抵抗を提供することができる。
【００２５】
本発明のさらに別の実施形態によれば、ねじ付き導管はポートに連結するための流体流路を必ずしも含む必要がないが、代わりに、ねじ付き部材と本体との間の振動抵抗連結を提供することが有利である場合に任意のハードウェアデバイスに一般的に適用できるように本体に連結するためのあらゆるねじ付き部材を備えることができる。ねじ付き部材は、例えば、一般的なボルト、ねじ、又は、機械的な固定のためのあらゆる他のねじ付きハードウェアを備えることができる。このような実施形態では、本体の固定は、本体に対するねじ付き部材の回転運動を制限する前に述べたポート固定部のように作用する。
【００２６】
開示された実施例の様々な特定の特徴は、決して制限されず、代替的な構造、デザイン、及び／又は材料は、代替的に使用されることができることを理解されるべきである。さらに、上記特定の実施例の個々の特徴は、交換されることができ、振動抵抗継手アッセンブリの追加の実施例に組み合わせることができる。
【００２７】
詳細に及びそれらの特定の実施例を参照して、本発明を説明したが、変形及び変更が、添付の特許請求の範囲で画定された発明の範囲から逸脱することなく可能であることが明らかになるであろう。具体的には、本発明のいくつかの態様が好適なあるいは特定の利点として本明細書中で明らかにされたが、本発明は、本発明のこれらの好適な態様に制限されないということを熟慮される。
【００２８】
以下の一つ以上のクレームは、変移のフレーズとして用語“その点において”を利用することに留意されたい。本発明を画定するために、この用語は、構造の一連の特徴の詳述を導入するのに使用される制限のない変移フレーズとしてクレームに導入されていることに留意され、より一般的に使用されている制限のない序文用語“備える”と同じように解釈されるべきである。
【図１】
2011530684.tif 000003
【図２】
2011530684.tif 000004
【図３】
2011530684.tif 000005
【図４】
2011530684.tif 000006
【図５】
2011530684.tif 000007
【図６】
2011530684.tif 000008
【図７】
2011530684.tif 000009
【図８】
2011530684.tif 000010
【図９】
2011530684.tif 000011
【図１０】
2011530684.tif 000012
【図１１】
2011530684.tif 000013
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
ねじ付き導管と、圧縮可能なポート固定部を有する着脱可能な縦のレストリクターとを備える継手アッセンブリであって、
前記ねじ付き導管は、流体ポートの相補的ねじ部と係合するように形状づけられ、前記ねじ付き導管の縦軸を横断する流体流路を有し、
前記着脱可能な縦のレストリクターは、前記ねじ付き導管の外縁部と係合し、ポートに向かう第１方向に前記ねじ付き導管の縦軸に沿って前進し、第１方向とは反対の第２方向に前記ねじ付き導管に沿った運動を解放可能に制限するように構成され、
前記圧縮可能なポート固定部の先縁部は、前記第１方向において前記着脱可能な縦のレストリクターの弾性力を加える助長を可能にすると共にポートに対する前記ねじ付き導管の回転運動を制限するように前記圧縮可能なポート固定部が圧縮するように前記ポートの係合面と係合するように構成される、継手アッセンブリ。
【請求項２】
請求項１記載の継手アッセンブリにおいて、
前記圧縮可能なポート固定部は、前記ポートの係合面と係合されるときに接線方向又は半径方向に曲げられることによって圧縮するように構成された少なくとも一つの可撓性アームを備え、
前記少なくとも一つの可撓性アームの先縁部は、別個の接触先端、線接触縁、丸みの接触面、あるいは、それらの組み合わせのように形状づけられる、継手アッセンブリ。
【請求項３】
請求項１記載の継手アッセンブリにおいて、
前記圧縮可能なポート固定部は、異なる方向のポートの方へ延びる一つ以上のリーフスプリングアームを備える、継手アッセンブリ。
【請求項４】
請求項１記載の継手アッセンブリにおいて、
前記ねじ付き導管は、外表面に配置された爪をさらに備え、
前記着脱可能な縦のレストリクターは、前記爪を超えて第１方向に段階的に前進するように構成された固定脚部を備え、
前記爪は、第２方向への前記着脱可能な縦のレストリクターの動きを制限し、
前記着脱可能な縦のレストリクターは、第２方向への前記着脱可能な縦のレストリクターの動きを可能にするために前記爪から前記固定脚部を解放するように構成された解放アームを更に備える、継手アッセンブリ。
【請求項５】
請求項１記載の継手アッセンブリにおいて、
前記着脱可能な縦のレストリクターは、前記第１方向に前進するために前記ねじ付き導管のねじ部と係合するように構成される、継手アッセンブリ。
【請求項６】
請求項５記載の継手アッセンブリにおいて、
前記圧縮可能なポート固定部は、前記着脱可能な縦のレストリクターから分離可能であり、
前記着脱可能な縦のレストリクターが前記ねじ部のまわりを回転され前記第１方向に前進するときに前記可撓性グリップが前記第２方向への前記着脱可能な縦のレストリクターの動きを制限するように、前記着脱可能な縦のレストリクターの周囲の切り欠きと段階的に係合するように構成された可撓性グリップを備える、継手アッセンブリ。
【請求項７】
請求項６記載の継手アッセンブリにおいて、
前記可撓性グリップ及び前記切り欠きは、トルク制限機能を提供するように構成されている、継手アッセンブリ。
【請求項８】
請求項５記載の継手アッセンブリにおいて、
前記圧縮性ポート固定部は、前記ねじ付き導管に連結され前記ねじ付き導管から離れる方向に伸びる回転防止アームを収容するように構成された回転防止収容スロットを備える、継手アッセンブリ。
【請求項９】
圧縮可能な係合面を有する流体ポートのための継手アッセンブリであって、
前記継手アッセンブリは、突出ポート固定部を有する着脱可能な縦のレストリクターを備え、
前記ねじ付き導管は、前記流体ポートの相補的ねじ部と係合するように構成されると共に、前記ねじ付き導管の縦軸を横断する流体流路を備え、
前記着脱可能な縦のレストリクターは、前記ねじ付き導管と係合し、前記ポートに向かう第１方向に前記ねじ付き導管の縦軸に沿って前進し、第１方向とは反対の第２方向に前記ねじ付き導管に沿った運動を解放可能に制限するように構成され、
前記圧縮可能なポート固定部の先縁部は、前記第１方向において前記着脱可能な縦のレストリクターの弾性力を加える助長を可能にすると共にポートに対する前記ねじ付き導管の回転運動を制限する前記ポートの圧縮可能な係合面と係合するように構成される、継手アッセンブリ。
【請求項１０】
本体用のファスナーであって、
前記ファスナーは、ねじ付き部材と、本体固定部と、着脱可能な縦のレストリクターとを備え、
前記ねじ付き部材は、前記本体の相補的ねじ付き部と係合するように構成され、
前記着脱可能な縦のレストリクターは、前記ねじ付き部材と係合すると共に、前記本体に向かう第１方向に前記ねじ付き部材の縦軸に沿って前進し、第１方向とは反対の第２方向に前記ねじ付き部材に沿った運動を解放可能に制限するように構成され、
前記本体固定部は、前記着脱可能な縦のレストリクターと共に前進するように構成され、前記ポートに対する前記ねじ付き部材の回転運動を制限するために前記本体の係合面と係合する、ファスナー。
【国際調査報告】
2011530684.tif 000014
2011530684.tif 000015